(57)【要約】【課題】生産時の取付作業性、補修サービス性を阻害することなく、回動接続部が固着した場合においても、洗濯乾燥機の異常振動や水漏れ、空気漏れが起こらない洗濯乾燥機を実現すること。【解決手段】送風ホース接続部材２４に設けた凸部２４ａと外槽カバー１５の送風ホース接続部３６に設けた凸リブ１５ａとにより、また、給水ホース接続部材２５に設けた凸部２５ａと外槽カバー１５の給水ホース接続部３７に設けた凸リブ１５ｂとにより、送風蛇腹ホース２０および給水蛇腹ホース２１それぞれの回動自在の可動範囲を抑制したものであり、作業性を阻害することなく、ホースの弾性力が外槽３の可動域を阻害し、脱水時の振動を大きくすることを防止できるとともに、ホース同士が摩擦することで破れ、水漏れや空気漏れを起こすことを防止できる。【選択図】図３
2011147587.tif 000002
【特許請求の範囲】
【請求項１】
筐体の上部に配設し第１の開口部を有する筐体カバーと、洗濯物を収容する内槽と、前記筐体内に弾性的に吊り下げられ前記内槽を回転可能に内包した外槽と、前記筐体カバーの後方内部に設けられ外気を吸入し内部に設けた加熱手段により前記外気を加熱して前記内槽内に温風を送風する送風手段と、前記筐体カバーの後方内部に設けられ前記内槽内に給水する給水手段とを備え、前記送風手段と連通する送風蛇腹ホースに挿入され略パイプ状の送風ホース接続部材が接続される略円筒状の送風ホース接続部と、前記給水手段と連通する給水蛇腹ホースに挿入され略パイプ状の給水ホース接続部材が接続される略円筒状の給水ホース接続部とを設けるとともに、前記送風ホース接続部材に設けられた爪部が前記送風ホース接続部に係合することで、前記送風ホース接続部材が前記送風ホース接続部に回動自在に接続され、前記給水ホース接続部材に設けられた爪部が前記給水ホース接続部に係合することで、前記給水ホース接続部材が前記給水ホース接続部に回動自在に接続された洗濯乾燥機において、前記送風ホース接続部材に設けられた凸部と前記送風ホース接続部に設けられた凸部形状リブとにより、また、前記給水ホース接続部材に設けられた凸部と前記給水ホース接続部に設けられた凸部形状リブとにより、前記送風蛇腹ホースおよび給水蛇腹ホースそれぞれの回動自在の可動範囲を抑制したことを特徴とする洗濯乾燥機。
【発明の詳細な説明】
【技術分野】
【０００１】
本発明は、洗い、すすぎ、脱水の洗濯行程と乾燥行程を備えた洗濯乾燥機に関するものである。
【背景技術】
【０００２】
従来、この種の洗濯乾燥機は図６に示すような構成が提案されており、送風蛇腹ホースおよび給水蛇腹ホースが外槽カバーに回動自在に接続されていた（例えば、特許文献１参照）。以下、その構成について説明する。
【０００３】
図６に示すように、筐体１は、内部に複数のサスペンション２によって弾性的に吊り下げた外槽３を設け、脱水時の振動を吸収する構成としている。外槽３の内部に洗濯物および乾燥対象物（以後、衣類という）を収容する内槽４を脱水軸５を中心に回転可能に配設し、内槽４の内底部に衣類を撹拌する回転翼６を洗濯軸７を中心に回転自在に配設している。内槽４の内部周壁に小孔（図示せず）を多数設けるとともに、上方に流体バランサー８を設けている。回転翼６は、外周部に傾斜面９を有する略皿状の基盤の上面に撹拌用突出部１０を形成することで、乾燥行程においては、衣類を回転翼６の回転による遠心力で傾斜面９に沿って上方へ舞い上がりやすくしている。
【０００４】
外槽３の底部にモータ１１を配設し、その回転力を洗濯時は洗濯軸７に伝達し、脱水時は脱水軸５に切り換えて伝達するクラッチ１２を介して、内槽４または回転翼６に連結している。
【０００５】
筐体１の上部に第１の開口部１３ａを有する筐体カバー１３を配設し、第１の開口部１３ａを開閉自在に覆う外蓋１４を設け、外槽３の上部に第２の開口部１５ｃを有する外槽カバー１５を配し、この第２の開口部１５ｃを内蓋２９により開閉自在に覆い、筐体カバー１３の後方内部に設けられた送風手段１７により外気を吸入し内部に設けたヒータ１６により外気を加熱して内槽４内に温風を送風する。
【０００６】
筐体カバー１３の後方内部に設けられた給水弁２６により給水するよう構成し、外槽カバー１５には、筐体カバー１３の後方内部の下方で第２の開口部１５ｃの後方側に、内槽４内に給水するための給水用孔６８と、内槽４内に温風を送風するための温風供給口６９とを設けている。
【０００７】
図７は、送風蛇腹ホース２０および給水蛇腹ホース２１を外槽カバー１５に接続するホース接続部の分解斜視図である。図７において、供給口部材５８には、乾燥用送風機１７等により構成された送風手段３３と連通する送風蛇腹ホース２０に挿入されてホースバンド２２で固定された略パイプ状の送風ホース接続部材５４が接続される略円筒状の送風ホース接続部５９と、給水弁２６と連通する給水蛇腹ホース２１に挿入されてホースバンド２３で固定された略パイプ状の給水ホース接続部材５５が接続される略円筒状の給水ホース接続部６０とを設けている。
【０００８】
送風ホース接続部材５４の外周下端部に設けられた爪部７２が送風ホース接続部５９に係合することで、送風ホース接続部材５４が送風ホース接続部５９に回動自在に接続されて温風供給口６９と連通し、給水ホース接続部材５５に設けられた爪部７３が給水ホース接続部６０に係合することで、給水ホース接続部材５５が給水ホース接続部６０に回動自在に接続されて給水用孔６８と連通するように供給口部材５８が構成されている。
【０００９】
この供給口部材５８の前方部と後方部に設けられた爪部を外槽カバー１５に係合することで嵌着固定され、送風蛇腹ホース２０および給水蛇腹ホース２１がそれぞれ送風ホース接続部材５４および給水ホース接続部材５５を介して供給口部材５８に接続された状態で保持され、必要時には供給口部材５８の前方部に設けた爪部の係合を外すことで、供給口部材５８を外槽カバー１５から外せるように構成している。
【００１０】
制御装置３０は筐体１内の下部に配設し、マイクロコンピュータを具備して、モータ１１、クラッチ１２、乾燥用送風機１７、ヒータ１６、給水弁２６、排水弁２７などの動作を制御し、例えば、外槽３内に送風される循環風温度を検知するサーミスタ２８の検知出力をモニターし乾燥終了を判定するなど、洗い、すすぎ、脱水、乾燥の一連の行程を逐次制御するよう構成している。
【００１１】
上記構成において動作を説明する。洗い行程では、外蓋１４と内蓋２９を開けて、内槽４に衣類を投入し運転を開始すると、給水弁２６が開き、外槽カバー１５に接続された給水蛇腹ホース２１を通して所定の水位まで給水した後、モータ１１を駆動する。伝達機構部のクラッチ１２によりモータ１１の動力を洗濯軸７を介して回転翼６に伝達して回転し、撹拌用突出部１０により衣類を撹拌し、衣類どうしまたは内槽４や回転翼６との接触により作用する機械力と水流により衣類の洗浄を行う。
【００１２】
脱水行程では、洗濯終了後、排水弁２７を開いて内槽４内の水を排水した後、クラッチ１２を脱水側に切り換えて、モータ１１の動力を脱水軸５に伝達し内槽４を回転させ、遠心力により衣類から水分を分離させる。
【先行技術文献】
【特許文献】
【００１３】
【特許文献１】特開２００４−１８８０６２号公報
【発明の概要】
【発明が解決しようとする課題】
【００１４】
しかしながら、このような従来の構成では、送風蛇腹ホース２０および給水蛇腹ホース２１がともに供給口部材５８を介して外槽カバー１５に回動自在に接続されており、さらに給水蛇腹ホース２１は略Ｌ字形状をしているため、給水蛇腹ホース２１が送風蛇腹ホース２０側に回動すると、双方のホース同士が接触する。送風蛇腹ホース２０、給水蛇腹ホース２１はともに回動自在に接続されているため、本来は、ホースの弾性力で正常な位置に戻るため、問題がない。
【００１５】
しかし、爪部嵌合部が、経年変化や使用中に埃や洗剤などが付着して、回動自在に動かなくなる可能性がある。このような場合、送風蛇腹ホース２０あるいは給水蛇腹ホース２１が不自然な位置で固着した場合は、ホースの弾性力が、内部に複数のサスペンション２によって弾性的に吊り下げた外槽３の可動域を阻害し、脱水時の振動を大きくする事がある。また、送風蛇腹ホース２０と給水蛇腹ホース２１の距離が近くなる位置で固着した場合は、蛇腹ホース２０、２１同士が摩擦することで破れ、水漏れや空気漏れを起こす可能性がある。
【００１６】
本発明は上記従来の課題を解決するもので、洗濯乾燥機の組立時、補修時などに、送風蛇腹ホースおよび給水蛇腹ホースを外槽カバーに接続する作業性を阻害することなく、また、回動自在に接続された接続部が、なんらかの原因で固着した場合においても、洗濯乾燥機の異常振動や水漏れ、空気漏れを抑制する洗濯乾燥機を提供することを目的としている。
【課題を解決するための手段】
【００１７】
本発明は上記目的を達成するために、送風ホース接続部材に設けられた凸部と送風ホース接続部に設けられた凸部形状リブとにより、また、給水ホース接続部材に設けられた凸部と給水ホース接続部に設けられた凸部形状リブとにより、送風蛇腹ホースおよび給水蛇腹ホースそれぞれの回動自在の可動範囲を抑制したことにより、生産時の取付作業性、補修サービス性を阻害することなく、洗濯乾燥機のあらゆる使用条件下において、回動接続部が固着した場合に、洗濯乾燥機の異常振動や水漏れ、空気漏れを抑制することができる。
【発明の効果】
【００１８】
本発明の洗濯乾燥機は、洗濯乾燥機の組立時、補修時などに、送風蛇腹ホースおよび給水蛇腹ホースを外槽カバーに接続する作業性を阻害することなく、また、回動自在に接続された接続部が、なんらかの原因で固着した場合においても、洗濯乾燥機の異常振動や水漏れ、空気漏れを抑制する洗濯乾燥機を実現することができる。
【図面の簡単な説明】
【００１９】
【図１】本発明の実施の形態１の洗濯乾燥機の縦断面図
【図２】同洗濯乾燥機の要部平面図
【図３】同洗濯乾燥機のホース接続部の分解斜視図
【図４】同洗濯乾燥機の図２におけるＢ−Ｂ線拡大断面図
【図５】同洗濯乾燥機の図２におけるＣ−Ｃ線拡大断面図
【図６】従来の洗濯乾燥機の縦断面図
【図７】同洗濯乾燥機のホース接続部の分解斜視図
【発明を実施するための形態】
【００２０】
第１の発明は、筐体の上部に配設し第１の開口部を有する筐体カバーと、洗濯物を収容する内槽と、前記筐体内に弾性的に吊り下げられ前記内槽を回転可能に内包した外槽と、前記筐体カバーの後方内部に設けられ外気を吸入し内部に設けた加熱手段により前記外気を加熱して前記内槽内に温風を送風する送風手段と、前記筐体カバーの後方内部に設けられ前記内槽内に給水する給水手段とを備え、前記送風手段と連通する送風蛇腹ホースに挿入され略パイプ状の送風ホース接続部材が接続される略円筒状の送風ホース接続部と、前記給水手段と連通する給水蛇腹ホースに挿入され略パイプ状の給水ホース接続部材が接続される略円筒状の給水ホース接続部とを設けるとともに、前記送風ホース接続部材に設けられた爪部が前記送風ホース接続部に係合することで、前記送風ホース接続部材が前記送風ホース接続部に回動自在に接続され、前記給水ホース接続部材に設けられた爪部が前記給水ホース接続部に係合することで、前記給水ホース接続部材が前記給水ホース接続部に回動自在に接続された洗濯乾燥機において、前記送風ホース接続部材に設けられた凸部と前記送風ホース接続部に設けられた凸部形状リブとにより、また、前記給水ホース接続部材に設けられた凸部と前記給水ホース接続部に設けられた凸部形状リブとにより、前記送風蛇腹ホースおよび給水蛇腹ホースそれぞれの回動自在の可動範囲を抑制したことにより、洗濯乾燥機の組立時、補修時などに、送風蛇腹ホースおよび給水蛇腹ホースを外槽カバーに接続する作業性を阻害することなく、ホースの弾性力が外槽の可動域を阻害し、脱水時の振動を大きくすることを防止できるとともに、ホース同士が摩擦することで破れ、水漏れや空気漏れを起こすことを抑制できる。
【００２１】
以下、本発明の実施の形態について、図面を参照しながら説明する。なお、従来例と同じ構成のものは同一符号を付して説明を省略する。
【００２２】
（実施の形態１）
図１に示すように、外槽３は、サスペンション２によって筐体１内に弾性的に吊り下げ、回転中心軸を略鉛直方向に有し衣類を収容する内槽４を内包している。内槽４は脱水軸５を中心に回転可能に配設し、内槽４の内底部に衣類を撹拌する回転翼６を洗濯軸７を中心に回転自在に配設している。内槽４の内部周壁に小孔（図示せず）を多数設けるとともに、上方に流体バランサー８を設けている。回転翼６は、外周部に傾斜面９を有する略皿状の基盤の上面に撹拌用突出部１０を形成することで、乾燥行程においては、衣類を回転翼６の回転による遠心力で傾斜面９に沿って上方へ舞い上がりやすくしている。
【００２３】
外槽３の底部にモータ１１を配設し、その回転力を洗濯時は洗濯軸７に伝達し、脱水時は脱水軸５に切り換えて伝達するクラッチ１２を介して、内槽４または回転翼６に連結している。
【００２４】
筐体１の上部に第１の開口部１３ａを有する筐体カバー１３を配設し、第１の開口部１３ａを開閉自在に覆う外蓋１４を設けてある。外槽３の上方開口側には、図２に示すように、内方に第２の開口部１５ｃを有する外槽カバー１５を配設し、この外槽カバー１５の第２の開口部１５ｃを開閉自在に覆うように内蓋２９を配設している。
【００２５】
筐体１の上部に配設された筐体カバー１３の後方内部に、乾燥用送風機１７を配設し、乾燥用送風機１７の一端は吸気フィルター３１を介して機体外に通じており、他端はヒータ１６を有する温風供給路３２に接続し、送風手段３３を構成している。温風供給路３２は送風蛇腹ホース（ホース）２０につながっている。また、筐体カバー１３の後方内部に給水弁２６を配設し、給水蛇腹ホース（ホース）２１につながり、給水手段３４を構成している。この給水手段３４によって内槽４内に給水するよう構成してある。
【００２６】
外槽カバー１５には、筐体カバー１３の後方内部の下方で第２の開口部１５ｃの後方側に、内槽４内に給水するための給水用孔１８と、内槽４内に温風を送風するための温風供給口１９とを設けている。
【００２７】
図３は送風蛇腹ホース２０および給水蛇腹ホース２１を外槽カバー１５に接続するホース接続部の分解斜視図、図４は図２におけるＢ−Ｂ線拡大断面図で送風蛇腹ホース２０の接続部を示す図、図５は図２におけるＣ−Ｃ線拡大断面図で給水蛇腹ホース２１の接続部を示す図である。
【００２８】
図３に示すように、外槽カバー１５の後部には、乾燥用送風機１７等により構成された送風手段３３と連通する送風蛇腹ホース２０に挿入されてホースバンド２２で固定された略パイプ状の送風ホース接続部材２４が接続される略円筒状の送風ホース接続部３６と、給水弁２６と連通する給水蛇腹ホース２１に挿入されてホースバンド２３で固定された略パイプ状の給水ホース接続部材２５が接続される略円筒状の給水ホース接続部３７とを設けている。
【００２９】
図４および図５に示すように、送風ホース接続部材２４の外周下端部に設けられた爪部７２が送風ホース接続部３６に係合することで、送風ホース接続部材２４が送風ホース接続部３６に回動自在に係止、接続されて温風供給口１９と連通し、給水ホース接続部材２５にの外周下端部に設けられた爪部７３が給水ホース接続部３７に係合することで、給水ホース接続部材２５が給水ホース接続部３７に回動自在に係止、接続されて給水用孔１８と連通するように構成されている。
【００３０】
図３に示すように、本発明の特徴的な構成として、送風蛇腹ホース２０が固定された送風ホース接続部材２４の外周には凸部２４ａを形成し、給水蛇腹ホース２１が固定された給水ホース接続部材２５の外周には凸部２５ａを形成し、一方の外槽カバー１５には、送風ホース接続部３６の外周部のやや外側に略同心円上に隣接させて２個の略円弧状の凸リブ１５ａを、また、給水ホース接続部３７の外周部のやや外側に略同心円上に隣接させて２個の略円弧状の凸リブ１５ｂを形成してある。
【００３１】
凸部２４ａと凸リブ１５ａ、凸部２５ａと凸リブ１５ｂの位置関係は、送風ホース接続部材２４が送風ホース接続部３６に接続され、送風ホース接続部材２４の爪部７２が送風ホース接続部３６に係合され、給水ホース接続部材２５が給水ホース接続部３７に接続され、給水ホース接続部材２５の爪部７３が給水ホース接続部３７に係合された状態で、それぞれ所定の角度範囲内では相互に回動自在であるが、その所定の角度範囲を超えては凸部２４ａ、２５ａが凸リブ１５ａ、１５ｂに係止されて回動できないように制限される構成としてある。
【００３２】
したがって、本発明によれば、送風蛇腹ホース２０および給水蛇腹ホース２１を外槽カバー１５の送風ホース接続部３６および給水ホース接続部３７にそれぞれ回動自在に嵌着固定することを実現しながらも、送風蛇腹ホース２０および給水蛇腹ホース２１の回動範囲を抑制でき、送風蛇腹ホース２０あるいは給水蛇腹ホース２１が不自然な位置で固着した場合においても、ホースの弾性力が、内部に複数のサスペンション２によって弾性的に吊り下げた外槽３の可動域を阻害し、脱水時の振動を大きくすることを防止できるとともに、送風蛇腹ホース２０と給水蛇腹ホース２１の距離が近くなる位置で固着した場合においても、ホース同士が摩擦することで破れ、水漏れや空気漏れを起こすことを抑制できる、かつ作業性などを阻害することがない。
【００３３】
なお、本実施の形態では、送風蛇腹ホース２０および給水蛇腹ホース２１を外槽カバー１５にそれぞれ直接、回動自在に嵌着固定したが、従来例のように供給口部材を介して行っても本発明の効果を得ることができる。
【産業上の利用可能性】
【００３４】
以上のように、本発明にかかる洗濯乾燥機は、サスペンションによって弾性的に吊り下げた外槽を備えた洗濯乾燥機において、洗濯乾燥機の組立時、補修時などに、送風蛇腹ホースおよび給水蛇腹ホースを外槽カバーに接続する作業性を阻害することなく、ホースの弾性力が外槽の可動域を阻害し、脱水時の振動を大きくすることを防止できるとともに、ホース同士が摩擦することで破れ、水漏れや空気漏れを起こすことを防止できるので、衣類の脱水機能や乾燥機能を有した洗濯乾燥機等に有用である。
【符号の説明】
【００３５】
１      筐体
２      サスペンション
３      外槽
４      内槽
５      脱水軸
６      回転翼
７      洗濯軸
１１    モータ
１２    クラッチ
１３    筐体カバー
１３ａ  第１の開口部
１４    外蓋
１５    外槽カバー
１５ａ、１５ｂ  凸リブ（凸部形状リブ）
１５ｃ  第２の開口部
１６    ヒータ（加熱手段）
１７    乾燥用送風機
１８    給水用孔
１９    温風供給口
２０    送風蛇腹ホース（ホース）
２１    給水蛇腹ホース（ホース）
２４    送風ホース接続部材
２４ａ  凸部
２５    給水ホース接続部材
２５ａ  凸部
２６    給水弁
２７    排水弁
２９    内蓋
３０    制御装置
３３    送風手段
３４    給水手段
３６    送風ホース接続部
３７    給水ホース接続部
７２、７３  爪部
【図１】
2011147587.tif 000003
【図２】
2011147587.tif 000004
【図３】
2011147587.tif 000005
【図４】
2011147587.tif 000006
【図５】
2011147587.tif 000007
【図６】
2011147587.tif 000008
【図７】
2011147587.tif 000009